(57)【特許請求の範囲】
【請求項１】
自己を特定する情報を含む保守情報を有し、被試験物（１４）としての携帯電話機が収容され、外部との間で無線電波の漏洩及び進入を阻止する複数台のシールドボックス（１２）と、該複数台のシールドボックスに切替器（１７）を介して接続され、該切替器の切り替えにより選択された１台のシールドボックスに前記携帯電話機を収容して各種試験の測定を可能とし、前記シールドボックスの保守情報が取得可能な１台のテスタ（１３）とを有し、自己の保守情報をネットワーク（７）を介して通信可能とされ、前記被試験物に接続されて該被試験物の試験を行う測定器（２）と、
予め前記測定器毎のアドレスリストを有し、前記ネットワークを介して前記測定器と通信接続されたときに、この通信接続された前記測定器の保守情報と前記アドレスリストを対比して、接続されるべき測定器か否かを確認して該測定器を保守するための保守情報リストを自動作成するサーバ手段（６）とを備え、
前記複数台のシールドボックスは、開閉回数を検出する開閉センサ（１５）と、自身の製造番号が格納された記憶手段（１６）とをそれぞれ備えており、
前記テスタは、前記シールドボックスの前記開閉センサが検出する開閉回数と前記記憶手段に格納された製造番号とを読み取って前記サーバ手段に前記保守情報として送信することを特徴とする測定器の保守管理システム。
【請求項２】
前記テスタ（１３）は、電源立ち上げ時に前記切替器（１７）を切替制御して前記複数台のシールドボックス（１２）と１台づつ順次接続し、当該シールドボックスの前記保守情報を前記サーバ手段（６）に送信することを特徴とする請求項１記載の測定器の保守管理システム。
【請求項３】
前記保守情報は、前記被試験物（１４）を試験した結果と、該被試験物を特定するのに必要な情報を含むことを特徴とする請求項１又は請求項２記載の測定器の保守管理システム。
【請求項４】
前記ネットワーク（７）は、ＷＡＮ（１０）と、該ＷＡＮに接続されるＬＡＮ（９）からなり、前記ＷＡＮに前記サーバ手段（６）が接続され、前記ＬＡＮには前記測定器（２）が接続されることを特徴とする請求項１〜３のいずれかに記載の測定器の保守管理システム。
【請求項５】
前記テスタ（１３）が販売ショップに配備され、前記保守情報には前記アドレス情報としてのＩＰアドレスと位置情報としての販売ショップ名が含まれ、さらに、前記テスタ及び前記シールドボックス（１２）の製造番号及び稼働状況が含まれていることを特徴とする請求項１〜４のいずれかに記載の測定器の保守管理システム。
【請求項６】
前記サーバ手段（６）は、前記測定器から送信される保守情報に基づいて前記保守情報リストを自動作成する管理サーバ（４）と、該管理サーバで作成された前記保守情報リストのアクセスが可能な保守サーバ（５）とからなることを特徴とする請求項１〜５のいずれかに記載の測定器の保守管理システム。
【発明の詳細な説明】
【０００１】
【発明の属する技術分野】
本発明は、被試験物として例えば無線機器である携帯電話機の各種測定を行って動作を試験する測定器を一元管理する測定器の保守管理システムに関する。
【０００２】
【従来の技術】
近年、移動体通信サービス網が逐次整備され、利便性に優れた携帯電話機が企業に止まらず個人にも普及している。このため、全国各地に各種の携帯電話機を取り扱う販売ショップ（移動通信業者）が点在している。そして、この種の携帯電話機に関する顧客サービスとして、移動体通信サービスの販売ショップには、顧客から持ち込まれた携帯電話機の動作を試験するための測定器が配備されている。
【０００３】
図１１はこの種の測定器を用いた携帯電話機の測定システムを示す概要図、図１２は図１１の測定システムを構成する操作端末とシールドボックスの販売ショップでの配置状態の一例を示す図である。
【０００４】
図１１に示すように、測定器５０は、シールドボックス５１とサービステスタ（以下、テスタと略称する）テスタ５２を備えて構成される。
【０００５】
シールドボックス５１には、被試験物としての携帯電話機５３が各種試験時に収容される。通常、このシールドボックス５１は、各種試験が行われる際、携帯電話機５３の収容する度に開閉操作される。図示はしないが、シールドボックスの開口部（接合部）には、外部との間で無線電波の漏洩及び進入を阻止するためのシールドバネが設けられている。
【０００６】
また、図１２に示すように、販売ショップの各窓口には、パーソナルコンピュータ等の操作端末５４がシールドボックス５１と対で配置されている。そして、この窓口毎の複数台のシールドボックス５１と操作端末５４は、ルータ５５に接続され、ショップ内ＬＡＮ５６を構築している。
【０００７】
テスタ５２は、複数台のシールドボックス５１と切替器５７を介して接続されている。図１２の例における販売ショップでは、ハードウェア資源の効率化のため、テスタ５２が１台のみ配置されている。この１台のテスタ５２は、携帯電話機５３が収容される複数台のシールドボックス５１に共有して用いられる。このため、１台のテスタ５２は、切替器５７の切り替えにより、複数台の中の１台のシールドボックス５１が選択されて接続され、そのシールドボックス５１内に収容された携帯電話機５３の各種試験が行えるようになっている。
【０００８】
なお、テスタ５２による携帯電話機５３の各種試験に関する設定や切替器５７の切り替え操作は、窓口のオペレータの操作により操作端末５４から行えるようになっている。
【０００９】
そして、上記のように構成される測定器５０では、シールドボックス５１内の携帯電話機５３に対して無線電波を送受信して各種試験（例えば送信出力電波強度や受信感度等）を行い、この各種試験結果に基づいて携帯電話機５３の動作が正常か否かを判別している。
【００１０】
ところで、シールドボックス５１のシールドバネは、開閉操作回数の増加等に伴って経年劣化するものである。このため、携帯電話機５３の各種試験を正確に行うには、シールド特性が極端に低下しないうちにシールドボックス５１を定期的に交換する必要がある。また、テスタ５２についても、校正等のために定期的に保守を行う必要がある。
【００１１】
【発明が解決しようとする課題】
従来、故障と思われる携帯電話機５３が販売ショップの窓口に持ち込まれた際、その窓口のシールドボックス５１やテスタ５２が故障や異常により使用不可能な状態にあると、持ち込まれた携帯電話機５３の各種試験に速やかに対応するためには、同一販売ショップ内の正常なシールドボックス５１やテスタ５２と交換して用いたり、応急的に近隣の販売ショップからシールドボックス５１やテスタ５２を一時的に借りて使用していた。
【００１２】
しかしながら、上述したシールドボックス５１やテスタ５２の使用状況に加え、販売ショップ自体が統合、縮小される場合もあるため、現在どの販売ショップでどのシールドボックス５１やテスタ５２が使用されているかを正確に把握して一元管理するのが困難であった。また、シールドボックス５１のシールドバネの劣化状態をシールドケース５１毎に把握しておくのも難しい。その結果、各シールドボックス５１のシールド特性やテスタ５２の動作状況等を正確に把握できず、効率的な保守作業の遂行が困難であった。
【００１３】
そこで、従来はシールドボックス５１やテスタ５２の異常の有無に関わらず、全販売ショップのシールドボックス５１とテスタ５２を地域毎に定期的に交換していた。
【００１４】
しかしながら、全国各地に点在する全ての販売ショップのシールドボックス５１やテスタ５２を地域毎に定期的に交換する場合、交換時期でないときにシールドボックス５１やテスタ５２に異常が発生すると、同一販売ショップ内あるいは近隣の販売ショップの正常なシールドボックス５１やテスタ５２を代用したり、保守会社への問い合わせてシールドボックス５１やテスタ５２の修理交換を行う必要があった。このため、異常発生後の対応が多くなり、保守作業に多大な手間と労力がかかっていた。
【００１５】
また、この種の測定器５０は、例えばルータ５５を用いてショップ内ＬＡＮによりネットワーク接続され、ネットワーク接続機器として使用されるので、例えばテスタ５２や操作端末５４のＩＰアドレス等の設定が必要不可欠になる。しかし、この種のネットワークの設定は複雑であり、ネットワークに詳しくないショップ関係者がこの種の設定を行うには作業に手間がかかり困難であった。さらに、シールドボックス５１のような使用頻度により劣化を伴う機器は、各販売ショップに配備された機器の劣化状態を一元管理するのが困難であった。
【００１６】
そこで、本発明は、上記問題点に鑑みてなされたものであり、複数の販売ショップに配置された測定器の配置及び動作状態等を一元管理でき、対象試験物の試験の中断を未然に防いで保守作業の効率化を図ることができる測定器の保守管理システムを提供することを目的としている。
【００１７】
【課題を解決するための手段】
上記目的を達成するため、請求項１の発明は、自己を特定する情報を含む保守情報を有し、被試験物１４としての携帯電話機が収容され、外部との間で無線電波の漏洩及び進入を阻止する複数台のシールドボックス１２と、該複数台のシールドボックスに切替器１７を介して接続され、該切替器の切り替えにより選択された１台のシールドボックスに前記携帯電話機を収容して各種試験の測定を可能とし、前記シールドボックスの保守情報が取得可能な１台のテスタ１３とを有し、自己の保守情報をネットワーク７を介して通信可能とされ、前記被試験物に接続されて該被試験物の試験を行う測定器２と、
予め前記測定器毎のアドレスリストを有し、前記ネットワークを介して前記測定器と通信接続されたときに、この通信接続された前記測定器の保守情報と前記アドレスリストを対比して、接続されるべき測定器か否かを確認して該測定器を保守するための保守情報リストを自動作成するサーバ手段６とを備え、
前記複数台のシールドボックスは、開閉回数を検出する開閉センサ１５と、自身の製造番号が格納された記憶手段１６とをそれぞれ備えており、
前記テスタは、前記シールドボックスの前記開閉センサが検出する開閉回数と前記記憶手段に格納された製造番号とを読み取って前記サーバ手段に前記保守情報として送信することを特徴とする。
【００１８】
請求項２の発明は、請求項１の測定器の保守管理システムにおいて、前記テスタ１３は、電源立ち上げ時に前記切替器１７を切替制御して前記複数台のシールドボックス１２と１台づつ順次接続し、当該シールドボックスの前記保守情報を前記サーバ手段６に送信することを特徴とする。
【００１９】
請求項３の発明は、請求項１又は請求項２の測定器の保守管理システムにおいて、前記保守情報は、前記被試験物１４を試験した結果と、該被試験物を特定するのに必要な情報を含むことを特徴とする。
【００２０】
請求項４の発明は、請求項１〜３のいずれかの測定器の保守管理システムにおいて、前記ネットワーク７は、ＷＡＮ１０と、該ＷＡＮに接続されるＬＡＮ９からなり、前記ＷＡＮに前記サーバ手段６が接続され、前記ＬＡＮには前記測定器２が接続されることを特徴とする。
【００２１】
請求項５の発明は、請求項１〜４のいずれかの測定器の保守管理システムにおいて、前記テスタ１３が販売ショップに配備され、前記保守情報には前記アドレス情報としてのＩＰアドレスと位置情報としての販売ショップ名が含まれ、さらに、前記テスタ及び前記シールドボックス１２の製造番号及び稼働状況が含まれていることを特徴とする。
【００２２】
請求項６の発明は、請求項１〜５のいずれかの測定器の保守管理システムにおいて、前記サーバ手段６は、前記測定器から送信される保守情報に基づいて前記保守情報リストを自動作成する管理サーバ４と、該管理サーバで作成された前記保守情報リストのアクセスが可能な保守サーバ５とからなることを特徴とする。
【００２４】
【発明の実施の形態】
以下、本発明に係る測定器の保守管理システムの実施形態を図面を参照しながら説明する。なお、本実施形態では、被試験物を携帯電話機とし、この携帯電話機の送信及び受信状態が正常か否かを判定するべく各種試験（例えば送信出力電波強度や受信感度等）を行う測定器の保守管理を行う保守管理システムとして説明している。
【００２５】
図１は本発明による測定器の保守管理システムの概要構成を示すブロック図、図２は１台のテスタに４台のシールドボックスを接続した場合のシールドボックスの保守情報を取得するための概略構成図、図３はシールドボックス及びテスタの保守情報の一例を示す図である。
【００２６】
図１に示すように、本例の保守管理システム１は、販売ショップに配備される測定器２と操作端末３、管理センタに配備される管理サーバ４と保守センタに配備される保守サーバ５とからなるサーバ手段６、測定器２と操作端末３及びサーバ手段６の相互間で通信可能にするネットワーク７により概略構成される。
【００２７】
図１に示すように、本例では、各販売ショップ毎に測定器２と操作端末３がルータ８に接続されてショップ内ＬＡＮ（以下、ＬＡＮと略称する）９を構成し、各ショップ内ＬＡＮ９がＷＡＮ１０を介して管理サーバ４に接続され、管理サーバ４が専用線１１を介して保守サーバ５に接続されてネットワーク７が構築される。
【００２８】
図１に示すように、測定器２は、シールドボックス１２、サービステスタ（以下、テスタと略称する）１３、切替器１７を備えて構成される。
【００２９】
シールドボックス１２は、例えばアルミ等の金属により箱状に形成され、開閉自在の蓋を有している。このシールドボックス１２内には、被試験物としての携帯電話機１４が各種試験時に収容される。
【００３０】
図２に示すように、各シールドボックス１２には、携帯電話機１４の動作状態を試験するときに開閉される蓋の開閉を検出する開閉センサ１５が設けられている。また、各シールドボックス１２には、例えば不揮発性メモリのＥＥＰＲＯＭで構成される記憶手段１６が設けられている。各記憶手段１６には、テスタ１３から電源電圧が供給されており、図３に示すように、他のシールドボックス１２と異なる固有の製造番号、開閉センサ１５が検出したシールドボックス１２の蓋の開閉回数（蓋を閉める行為をカウントして試験終了時に記憶した回数）とよる保守情報が２重に格納される。各記憶手段１６に格納された保守情報は、テスタ１３からの制御信号（ＥＥＰＲＯＭ制御信号）により切替器１７を介してテスタ１３に読み取られる。
【００３１】
なお、図４に概略的に示すように、シールドボックス１２には、収容される携帯電話機１４のアンテナ１４ａと空間的に結合する結合用アンテナ１８が不図示の回路基板に取り付けられて配設される。図示はしないが、この結合用アンテナ１８は、結合用アンテナ１８から見たインピーダンスを約５０Ωに変換するインピーダンス変換器を介して同軸ケーブルに接続される。また、同軸ケーブルは、シールドケース１２の外面に設けられた同軸コネクタに接続され、同軸コネクタには切替器１７を介してテスタ１３がケーブル接続される。
【００３２】
テスタ１３は、シールドボックス１２内に収容された携帯電話機１４の外部インタフェース端子１４ｂに対し、切替器１７を介してケーブル接続される。また、テスタ１３は、同一販売ショップ内において各窓口に配備された操作端末３とＬＡＮ９を介して接続される。
【００３３】
図１に示すように、テスタ１３は、ハードウェア資源の効率化のため、各販売ショップ毎に１台づつ配備される。そして、この１台のテスタ１３は、複数台のシールドボックス１２に共有して用いられる。このため、操作端末３からのシールドボックス選択信号により切替器１７を切替制御して１台のシールドボックス１２を選択して接続し、この選択接続されたシールドボックス１２内の携帯電話機１４の動作状態が試験できるようになっている。
【００３４】
さらに、テスタ１３の構成について図４及び図５を参照しながら説明する。図４はテスタの内部構成の概略を示すブロック図、図５は図４の測定手段の内部構成の概略を示すブロック図である。なお、図４では、後述するシールドボックス１２の保守情報の読み取り及び書き込みの構成については省略している。
【００３５】
図４に示すように、テスタ１３は、記憶手段２１、切替制御手段２２、保守情報読取制御手段２３、情報入出力制御手段２４、保守情報出力手段２５、送信結果判別手段２６、表示手段２７、測定手段２８、動作状態判定手段２９、通信制御手段３０を備えている。なお、切替制御手段２２、保守情報読取制御手段２３、情報入出力制御手段２４、保守情報出力手段２５、送信結果判別手段２６、動作状態判定手段２９、通信制御手段３０はマイクロプロセッサ等のＣＰＵで構成することができる。
【００３６】
記憶手段２１は、ＲＯＭやＲＡＭなどで構成され、携帯電話機１４の各種動作を試験するために携帯電話機１４との間で実行される複数の試験シーケンスと、各試験シーケンスを実行する際に設定される各種試験パラメータが格納されている。
【００３７】
また、記憶手段２１には、電源立ち上げ時に管理サーバ４に自動送信されるテスタ１３に関する保守情報が２重に格納されている。この保守情報は、図３に示すように、例えば自己の位置情報としての販売ショップ名、テスタ名、テスタ１３の製造番号、テスタ校正時期、ファームウェアバージョン、電源立ち上げ時の自己診断結果、累積稼働時間、テスタ自身に設定された自己を特定するアドレス情報としてのＩＰアドレス、テスタ設定情報等からなる。この記憶手段２１に格納されたテスタ１３の保守情報は、電源立ち上げ時に、シールドケース１２の保守情報と一緒に管理サーバ４に自動送信される。
【００３８】
さらに、記憶手段２１には、動作状態判定手段２９が携帯電話機１４の動作状態を判定する際に読み出される判定項目が格納されている。この判定項目は、例えば各試験シーケンスにおける動作状態が正常か異常かの各判定項目、判定を得るための送信レベルや受信レベルの評価項目、送受信エラーレート等である。
【００３９】
切替制御手段２２は、電源立ち上げ時にシールドボックス１２の保守情報を読み取るにあたって、ＬＡＮ９を介して通信制御手段３０が受信する操作端末３からのシールドボックス選択信号により、テスタ１３が全台のシールドボックス１２と順に１対１で接続されるように切替器１７の接点を切替制御している。また、切替制御手段２２は、携帯電話機１４の試験時に、ＬＡＮ９を介して通信制御手段３０が受信する操作端末３からのシールドボックス選択信号により、同一ショップ内に配備される複数台の中の一台のシールドボックス１２（試験対象の携帯電話機１４が収容されたシールドボックス）が選択されて接続されるように切替器１７の接点を切替制御している。
【００４０】
保守情報読取制御手段２３は、切替器１７を介してテスタ１３と１対１で接続されたシールドボックス１２の記憶手段１６に２重に格納された保守情報（製造番号、開閉回数）の読み取りを制御している。また、保守情報読取制御手段２３は、読み取った保守情報に付加されているコードに基づいてその情報の正当性を判断し、異常と判断したときにシールドボックス１２の記憶手段１６に２重に格納されたもう一方の保守情報を読取制御している。
【００４１】
情報入出力制御手段２４は、携帯電話機１４の各種測定時に、記憶手段２１に格納された試験シーケンスと各試験シーケンスのパラメータを読み出し、これらに基づいて携帯電話機１４に送信すべきデジタル情報を測定手段２８に出力している。また、情報入出力制御手段２４は、動作状態判定手段２９からの判定結果を記憶手段２１に記憶している。さらに、情報入出力制御手段２４は、電源立ち上げ時に、記憶手段２１に格納された最新の保守情報を読み出して保守情報出力手段２５に出力している。
【００４２】
保守情報出力手段２５は、電源立ち上げ時に情報入出力制御手段２４が記憶手段２１から読み出した最新の保守情報を通信制御手段３０に出力している。
【００４３】
送信結果判別手段２６は、電源立ち上げ時にネットワーク７を介して送信される保守情報に対する管理サーバ４からの保守情報受信応答に基づき、自らが送信した保守情報が正常に受信されたか否かを判別している。また、送信結果判別手段２６は、自らが送信した保守情報が正常に受信されなかったと判別した場合には、その旨を表示手段２７に表示している。
【００４４】
図５に示すように、測定手段２８は、符号部３１、変調部３２、局部発振器３３、送信部３４、受信部３５、レベル検出部３６、復調部３７、復号部３８を備えて構成される。
【００４５】
符号部３１は、情報入出力制御手段２３から入力される携帯電話機１４に送信すべきデジタル情報を符号化して変調部３２に出力している。変調部３２は、符号部３１で符号化されたデジタル情報を局部発振器３３の発振信号によってＱＰＳＫ変調している。送信部３４は、変調部３３でＱＰＳＫ変調された信号を必要なＲＦ信号にして試験対象となる携帯電話機１４が収容されたシールドボックス１２内の結合用アンテナ１８に電波放射している。
【００４６】
受信部３５は、シールドボックス１２内の結合用アンテナ１８を介して携帯電話機１４のアンテナ１４ａから電波放射された電波を受信している。レベル検出部３６は、受信部３５が受信した電波の受信信号レベルを検出している。復調部３７は、受信部３５が受信した携帯電話機１４からの電波をデジタル信号に復調している。復号部３８は、復調部３７で復調されたデジタル信号を元のデジタル情報に復号化している。そして、レベル検出部３６の検出信号と、復号部３８で復号化されたデジタル情報は、動作状態判定手段２９に出力される。
【００４７】
なお、テスタ１３とシールドボックス１２内の携帯電話機１４との間で送受信されるデジタル信号には、携帯電話機１４の着信・発信等の動作を制御する制御情報と音声をデジタル化した情報とが含まれ、これらの情報はテスタ１３と携帯電話機１４の外部インタフェース端子１４ｂとの間で送受される。
【００４８】
動作状態判定手段２９は、レベル検出部３６からの検出信号と復号部３８からのデジタル情報を入力とし、記憶手段２１に格納された判定項目に基づいて携帯電話機１４の動作状態が正常か否かを判定しており、この判定結果を情報入出力制御手段２４に出力している。
【００４９】
通信制御手段３０は、ＬＡＮ９を介して操作端末３との間でデータの送受を行う場合やネットワーク７を介して管理サーバ４とデータの送受を行う場合の通信のやりとりを制御している。
【００５０】
操作端末３は、例えばパーソナルコンピュータ等で構成され、図１２に示すように、販売ショップの窓口毎にシールドボックス１２と対をなして配置される。操作端末３は、携帯電話機１４の動作状態を試験するにあたって必要な各種情報が窓口のオペレータにより操作入力される。また、操作端末３は、動作不良等で携帯電話機１４が持ち込まれて動作状態を試験するときに、その携帯電話機１４が収容されたシールドボックス１２とテスタ１３との間が１対１で接続されるように操作を行い、テスタ１３を介して切替器１７にシールドボックス選択信号（切替信号）を出力している。
【００５１】
上記のように構成される測定器２により携帯電話機１４の動作を測定する場合には、窓口のオペレータが試験対象の携帯電話機１４をシールドボックス１２に収納し、外部インタフェース端子１４ｂにケーブルを接続し、シールドボックス１２の蓋を閉じる。その後、オペレータによる操作端末３からの操作により携帯電話機１４の種別、さらに測定に関する各種設定を行った後に試験を開始する。試験が開始されると、操作端末３からの設定に基づく各種試験毎の試験シーケンスが実行される。これにより、例えば携帯電話機１４の送信出力電波強度や受信感度等が測定され、この測定結果に基づいて携帯電話機１４の動作が正常か否かの判定がなされる。
【００５２】
ここで、テスタ１３がシールドボックス１２から保守情報を取得するときの手順について図６及び図７を参照しながら説明する。図６は図２の構成における電源起動時の保守情報の読み取り手順を示すフローチャート、図７は図２の構成におけるシールドボックスの開閉回数の書き込み手順を示すフローチャートである。
【００５３】
電源投入されると、テスタ１３が操作端末３からの操作により切替器１７にシールドボックス選択信号を出力して切替器１７の接点を切替制御し、複数台の中の１台のシールドボックス１２を選択する（ＳＴ１）。１台のシールドボックス１２が選択されると、この選択されたシールドボックス１２とテスタ１３との間の信号線が１対１で接続される。
【００５４】
この状態で、シールドボックス１２の記憶手段（ＥＥＰＲＯＭ）１６に電源電圧が供給される。そして、テスタ１３からＥＥＰＲＯＭ制御信号により記憶手段１６に記憶されたシールドボックス１２の保守情報（製造番号、開閉回数）を読み取る（ＳＴ２）。
【００５５】
次に、読み取った保守情報が正常か否かを判別する（ＳＴ３）。保守情報が正常に読み取れられたと判断されると（ＳＴ３−Ｙｅｓ）、全てのシールドボックス１２の保守情報の読み取りが完了したか否かを判別する（ＳＴ４）。全てのシールドボックス１２の保守情報の読み取りが完了していないと判断されると（ＳＴ４−Ｎｏ）、ＳＴ１に戻り、次のシールドボックス１２に選択を切り替えて保守情報の読み取りを行う。
【００５６】
そして、全てのシールドボックス１２の保守情報の読み取りが完了したと判断されると（ＳＴ４−Ｙｅｓ）、切替器１７を介してテスタ１３に接続された全てのシールドケース１２の保守情報が正常に読み取られたとして動作を終了する（ＳＴ５）。
【００５７】
ＳＴ３において、読み取った保守情報が正常に読み取れなかったと判断されると（ＳＴ３−Ｎｏ）、記憶手段１６に２重に格納されたもう一方の保守情報を読み取る（ＳＴ６）そして、この読み取った保守情報が正常か否かを判別する（ＳＴ７）。保守情報が正常に読み取られたと判断されると（ＳＴ７−Ｙｅｓ）、ＳＴ１に戻り、次のシールドボックス１２に選択を切り替えて保守情報の読み取りを行う。
【００５８】
ＳＴ７において、読み取った保守情報が正常に読み取れなかったと判断されると（ＳＴ７−Ｎｏ）、読み取り不可とし、ケーブルの接続を確認する（ＳＴ８）。
【００５９】
次に、保守情報としてのシールドボックス１２の開閉回数の書き込み手順について説明する。試験時にオペレータによる操作端末３の操作によりテスタ１３が切替器１７にシールドボックス選択信号を出力して切替器１７の接点を切替制御し、試験対象の携帯電話機１４が収容された１台のシールドボックス１２が選択される（ＳＴ１１）。これにより、選択されたシールドボックス１２とテスタ１３との各信号が１対１で接続される。
【００６０】
この状態で、シールドボックス１２の記憶手段１６に格納されている開閉回数の情報を読み取る（ＳＴ１２）。この情報にはチェックコードが付加されており、読み取った情報の正当性をチェックする（ＳＴ１３）。
【００６１】
そして、テスタ１３は、携帯電話機１４の動作試験中、シールドボックス１２内の開閉センサ１５の信号をポーリングにより常時監視しており、ＳＴ１３で読み取った情報が正当と判断されると（ＳＴ１３−Ｙｅｓ）、試験中、シールドボックス１２が開閉される毎に開閉回数をインクリメントする（ＳＴ１４）。
【００６２】
そして、試験を終了するとき、インクリメントされたシールドボックス１２の開閉回数を記憶手段１６に書き込む（ＳＴ１５）。このとき、一緒にチェックコードを計算して付加する。
【００６３】
ＳＴ１３において、読み取った情報が正当性のチェックで異常と判断すると（ＳＴ１３−Ｎｏ）、記憶手段１６に２重に格納されたもう一方の開閉回数の情報を読み取る（ＳＴ１６）。この読み取った開閉回数の情報に付加されたチェックコードから情報の正当性をチェックする（ＳＴ１７）。
【００６４】
そして、読み取った開閉回数の情報が正当と判断されると（ＳＴ１７−Ｙｅｓ）、ＳＴ１４に移行する。これに対し、２重化した開閉回数の情報が全て異常と判断すると（ＳＴ１７−Ｎｏ）、テスタ１３がシールドボックス１２の開閉回数の情報を無効と判断し、以後は開閉回数の情報は使用しない（ＳＴ１８）。
【００６５】
図１における管理サーバ４は、管理センタに配備され、全国各地の各販売ショップに配備されたシールドボックス１２及びテスタ１３からの保守情報を一括管理している。
【００６６】
管理サーバ４は、図８に示すように、各販売ショップとその販売ショップで使用するテスタ用に割当てられたＩＰアドレスのリスト（ＩＰアドレス対照リスト）を照合用データベース（アドレスリスト）として保持している。このＩＰアドレス対照リストは、テスタ１３を新規に販売ショップに配備する場合、テスタ用に割当てたＩＰアドレスが追加され、常に最新の情報に更新される。
【００６７】
また、管理サーバ４は、テスタ１３が電源立ち上げ時に自動送信するシールドケース１２及びテスタ１３の保守情報をショップ内ＬＡＮ９、ＷＡＮ１０を介して受信し、この受信した保守情報を図８のＩＰアドレス対照リストと照合してテスタ管理リストファイルを管理データベースとして作成している。
【００６８】
テスタ管理リストファイルは、図９に示すように、テスタ製造番号、校正時期、ショップ名称、ソフトウェアバージョン、動作状態、テスタ名（図９の上段）、ＩＰアドレス（図９の下段）、テスタ設定データ、シールドボックスの製造番号（図９の上段）、使用回数（開閉回数：図９の下段）が一覧表形式で作成される。
【００６９】
このテスタ管理リストファイルは、テスタ１３から保守情報が送信される度に自動的に更新作成される。従って、通常、テスタ１３が電源を１日一度（終業時）はオフされるものとすると、毎日更新されることになる。
【００７０】
なお、テスタ１３を新規に販売ショップに配備する場合、テスタ管理リストファイルは、そのショップ名とテスタ用のＩＰアドレスの情報が追加される。
【００７１】
図１における保守サーバ５は、保守センタに配備され、管理サーバ４に対して専用線１１を介して相互に通信可能に接続されている。この保守サーバ５では、管理サーバ４と専用線１１を介して通信接続し、管理サーバ４で作成されたテスタ管理リストファイルが閲覧できるようになっている。そして、保守サーバ５が配備された保守センタでは、閲覧したテスタ管理リストファイルから交換対象となるシールドボックス１２やテスタ１３を抽出し、そのシールドボックス１２やテスタ１３の保守を一括して行っている。
【００７２】
次に、上記のように構成された測定器２の管理システム１の処理内容について、図１０を参照しながら販売ショップ、管理サーバ４、保守サーバ５に分けて説明する。まず、販売ショップにおける処理内容について説明する。なお、販売ショップ、管理サーバ４、保守サーバ５の説明文の括弧付き数字は、図１０の括弧付き数字と対応している。
【００７３】
（１）保守サーバ５が配備された保守センタから測定器２（シールドケース１２及びテスタ１３）が納入される。この納入ケースとしては、新規に測定器２を設置する場合（新規設置）と、定期校正あるいは動作不良などの理由で配備済の測定器２を交換する場合（定期校正）がある。
【００７４】
（２）定期交換あるいは動作不良による交換の場合は、単純にシールドケース１２とテスタ１３を入れ換える。その際、どの製造番号のシールドケース１２あるいはテスタ１３と交換すればよいのかは、テスタ管理リストファイルにより保守サーバ５で把握しているので、その情報も添付されている。
【００７５】
（３）新規にシールドボックス１２及びテスタ１３を配備する場合は、ネットワークの専門担当者あるいは保守サーバ５の担当者が設置及びネットワークなどの設定を行う。
【００７６】
（４）測定器２の設置が完了すると、テスタ１３の電源を立ち上げてオンする。これにより、テスタ１３は、管理サーバ４に対し、図３に示すようなシールドボックス１２及びテスタ１３に関する保守情報を自動的に送信する。その際、テスタ１３は、管理サーバ４からの保守情報受信応答を受けることにより、自らが送信した保守情報が正常に受信されたか否かを知る。
【００７７】
（５）そして、保守情報の送信が正常に送信されたか否かを操作端末３からの操作により確認し、また、実際に携帯電話機１４を使用して試験し、テスタ１３自体の動作が正常（ＯＫ）か異常（ＮＧ）かを確認しておく。
【００７８】
なお、保守情報の送信が正常に送信されたか否かの確認は、販売ショップで確認しなくとも、管理サーバ４のテスタ管理ファイルにより確認することもできる。
【００７９】
（６）そして、交換後のテスタ１３の動作がＯＫであれば、そのまま運用を開始する。なお、交換前、以前に設置されていたシールドボックス１２あるいはテスタ１３は、定期校正あるいは修理対象品として保守サーバ５に返送する。そして、終業時には、通常、テスタ１３の電源をオフする。
【００８０】
（７）テスタ１３の動作確認において、テスタ１３自体の動作がＮＧであった場合はテスタ１３の問題かネットワークトラブルなどショップ側の問題かを切り分ける。そして、交換前のテスタ１３に再び戻してみて正常に動作するようなら、テスタ１３に問題ありと見なし、保守サーバ５に連絡する。
【００８１】
（８）テスタ１３自体の動作がＮＧであった場合で、交換前のテスタ１３に再び戻してみても同様にＮＧとなるようならば、販売ショップ内のネットワークに何らか問題があるとみて調査する。
【００８２】
次に、管理サーバ４における処理内容について説明する。（１）管理サーバ４には、各販売ショップとそのショップで使用するテスタ用に割当てられたＩＰアドレスのリスト（図８に示すＩＰアドレス対照リスト）を保持している。
【００８３】
テスタ１３を新規に販売ショップに配備するには、テスタ用に割当てたＩＰアドレスをＩＰアドレス対照リストに追加し、常に最新のＩＰアドレス対照リストに更新しておく。
【００８４】
管理サーバ４では、テスタ１３が電源立ち上げ時に自動送信する保守情報を受信し、この受信した保守情報をＩＰアドレスリストと照合し、図９に示すテスタ管理リストファイルを更新する。テスタ１３の電源を１日一度（終業時）はオフすると仮定した場合、テスタ管理リストファイルは毎日更新されるため、ほぼリアルタイムに各販売ショップの測定器２の状態を把握できる。
【００８５】
（２）テスタ１３を新規に販売ショップに配備する場合は、そのショップ名とテスタ用のＩＰアドレスの情報をＩＰアドレス対照リストに追加する。
【００８６】
（３）指定された販売ショップのテスタ１３の定期校正あるいは故障修理の要求が保守サーバ５からあった場合、テスタ管理リストファイルの内容を確認する。
【００８７】
次に、保守サーバ５における処理内容について説明する。（１）保守サーバ５が配備された保守センタは、販売ショップに対してシールドボックス１２あるいはテスタ１３を発送する。その際、販売ショップで交換の対象となる機器の製造番号は、管理サーバ４のテスタ管理リストファイルから予め分かっているので、この情報を交換の対象となっているシールドボックス１２あるいはテスタ１３に添付し、販売ショップでの交換の際に迷わないようにする。
【００８８】
（２）販売ショップでテスタ１３を交換し、万一テスタ１３の動作がおかしい場合は個別に対応する。
【００８９】
（３）新規にテスタ１３の受注を販売ショップから受けたときは、ネットワークの設定など情報が得られれば、これらの情報に基づいて設定を行い、設定済としておく。ネットワークの設定など情報がなく新規の場合は、原則として、ネットワーク管理者などの専門家により設置する。
【００９０】
（４）保守サーバ５では、管理サーバ４上にあるテスタ管理リストファイルの最新版を定期的に受信し、定期校正などが必要なテスタ１３の有無をチェックする。
【００９１】
（５）定期校正あるいは故障対応など交換が必要なテスタ１３であれば、ショップ名と製造番号を指定し、管理サーバ４の担当者に交換の要求を行う（定期校正要求）。管理サーバ４の担当者は、テスタ管理リストの内容を確認の上、保守サーバ５の担当者に承認を連絡する（定期校正承認）。
【００９２】
（６）販売ショップから返送されてきたシールドボックス１２あるいはテスタ１３は、校正あるいは修理を行う。管理サーバ４の承認が得られれば、校正済のシールドボックス１２あるいはテスタ１３に次の交換対象となっているテスタ１３と同じ設定を行う。設定内容はテスタ管理リストから引き出せるので、その情報を使って自動設定が可能である。
【００９３】
次に、特殊なケースにおける処理について説明する。販売ショップのテスタ用ＩＰアドレスが変更された場合、管理サーバ４のＩＰアドレス対照リストは、当然、変更後のＩＰアドレスが追加されていなければならない。また、テスタ１３のＩＰアドレスは、変更後のＩＰアドレスにして設定しなければならない。管理サーバ４の管理者から保守サーバ５の管理者に対し、ＩＰアドレス変更の情報が渡れば、出荷前に最新のＩＰアドレスに設定して発送できる。
【００９４】
ここで、テスタ１３は、ＩＰアドレスを変更してもテスタ名は変更しないことを基本ルールとする。このとき、テスタ１３から送信されてくる保守情報は、ある時期からテスタ名が同一でＩＰアドレスが異なるものが管理サーバ４に上がってくる。
【００９５】
そこで、管理サーバ４のテスタ管理リストファイルは、販売ショップのテスタ１３から上がってきた最新の情報で更新していく。従って、テスタ管理リストファイルのあるテスタ情報で、以前と同一のテスタ名で且つＩＰアドレスが異なっている情報が上がってきた場合には、新しい情報を有効とし、古い情報は無効扱いとする。これにより、テスタ管理リストファイルの古いＩＰアドレスの情報は、以後そのＩＰアドレスが再び使われない限り、無効状態となる。
【００９６】
次に、販売ショップ間でシールドボックス１２を交換したり移動したりした場合は、テスタ１３に接続されたシールドボックス１２の数が変わらなければ設定変更など必要はない。
【００９７】
テスタ１３に接続されたシールドボックス１２の数が増減する場合は、シールドボックス１２の数の設定のみ変更する。これにより、テスタ１３は、起動時、切替器１７を順次切り替えて、自身に接続されている数だけシールドボックス１２の保守情報を読み取る。
【００９８】
次に、販売ショップ間でテスタ１３を交換したり移動したりした場合は、テスタ１３のＩＰアドレスはその販売ショップに割当てられたアドレスに設定変更しなければならない。この場合、ＩＰアドレスの設定変更を行えば、その販売ショップのＬＡＮに接続して使用できる。そして、電源立ち上げ時に保守情報が管理サーバ４に自動送信され、管理サーバ４のテスタ管理リストファイルが更新される。
【００９９】
テスタ１３から送信した情報が管理サーバ４に正常に受信されたかどうかの確認は、テスタ１３から送信した保守情報に対して管理サーバ４から受信応答が返送されるので、テスタ１３は正常に受信されたかどうかを把握できる。そして、オペレータは操作端末３かあるいはテスタ１３の表示により確認できる。
【０１００】
電源立ち上げ時、シールドボックス１２の製造番号が正常に取得できたかどうかの確認は、シールドボックス１２の記憶手段１６に格納されている情報には、データの受信正当性を確認するチェックビットが付加されている。従って、電源立ち上げ時に、チェックビットを読み取って確認し、読み取りの正常／異常を判断する。
【０１０１】
このように、本実施の形態によれば、複数の販売ショップに配置された測定器２（シールドボックス１２及びテスタ１３）の配置及び動作状態等を一元管理でき、故障発生を未然に防いで保守作業の効率化を図ることができる。
【０１０２】
そして、販売ショップ側から見た効果としては、通常、販売ショップの店員はネットワークの設定に関しては素人であるが、シールドボックス１２やテスタ１３を交換する場合、保守センタから発送されてきたシールドケース１２やテスタ１３を交換するだけで、複雑な設定をしなくても済み、煩わしい作業を省くことができる。また、シールドボックス１２の開閉回数やテスタ１３の測定回数を管理することにより、その使用状況に応じて適切に交換することができる。特に、シールドボックス１２に関しては、シールドバネの劣化状態を把握でき、シールド効果の劣化したシールドボックス１２で知らずに不完全な試験を実行してしまうリスクが少なくなる。
【０１０３】
管理サーバ４側から見た効果としては、販売ショップに設置されたテスタ１３からの保守情報を取得し、この取得された保守情報に基づいて各販売ショップに配備された測定器２の保守情報に関するリストファイルを作成できるので、販売ショップに納入した際に製造番号を入力するなどの場合と比較して、人為的なミスを減らすことができる。また、測定器２の保守情報に関するリストファイルが自動作成されるので、作業の手間がかからない。さらに、シールドケース１２やテスタ１３を個別に必要な時期が来たときに交換できるので、交換の無駄を無くすことができる。
【０１０４】
保守サーバ５側から見た効果としては、作成された測定器の保守情報に関するリストファイルに基づいて測定器２の設定を出荷前に済ませることができるので、各販売ショップに直接出向いて測定器２の各種設定を行う必要がないので、手間がかからない。
【０１０５】
ところで、上記実施の形態では、測定器２の測定対象を携帯電話機１４としたが、これに限らず無線電波を送受する無線機器に対して同様に試験測定する構成であってもよい。この場合でも、測定器からの保守情報に基づいて管理サーバ４がテスタ管理リストファイルを作成して一元管理し、保守サーバ５で管理サーバ４が作成するテスタ管理リストファイルに基づいて測定器の保守を行うことができる。
【０１０６】
なお、上記実施の形態では、管理サーバ４で測定器２の保守情報をテスタ管理リストファイルにより一元管理し、保守サーバ５で管理サーバ４のテスタ管理リストファイルを閲覧して測定器の保守を行うものとして説明したが、保守サーバ５の機能を管理サーバ４に持たせ、サーバ手段６として一つに集約することも可能である。
【０１０７】
この場合、サーバ手段６は、テスタ１３の自己診断結果（図９の動作状態に該当）を参照し、テスタ１３の状態がＮＧであれば、これを抽出する。そして、サーバ手段６は、そのテスタ１３が配備された販売ショップを抽出し、表示画面あるいは印刷出力して管理者に報告する。管理者は、この報告を受けて該当する販売ショップに対して現状状態を電話等で確認した上で直ぐに測定器２（シールドボックス１２やテスタ１３）が交換できるよう手配することができる。この測定器２の交換の手配時には、新たなテスタ１３に対し、ＩＰアドレスを含む内部設定を行って発送することにより、販売ショップ側での設置の手間を極力省力化することができる。
【０１０８】
そして、サーバ手段６で各販売ショップにおけるシールドボックス１２及びテスタ１３の配置状態を管理することができるので、シールドボックス１２が他の販売ショップに移動、交換されてもこの状態を把握できる。しかも、サーバ手段６では、ネットワーク７（ショップ内ＬＡＮ９及びＷＡＮ１０）を介して接続された全てのシールドボックス１２の製造番号に基づき、このシールドボックス１２が接続されているテスタ１３（販売ショップ）を把握できる。
【０１０９】
この際、サーバ手段６は、各シールドボックス１２の使用回数（開閉回数）の情報に基づいてシールドボックス１２の経年状態を把握できる。例えば、予め保守が必要な使用回数や、交換が必要な使用回数の設定値を設定しておき、使用回数がこれらの設定値に達する毎に該当するシールドボックス１２が配置された販売ショップ宛にその旨を通知して保守を行うことができる。これにより、シールドボックス１２の不具合、例えば、シールド不良に基づく異常測定結果の発生等を未然に防ぐことができる。
【０１１０】
なお、上記実施の形態では、複数台の中の１台のシールドボックス１１とテスタ１３との間の切替接続や試験に関する設定を操作端末３で行う構成として説明したが、テスタ１３に操作端末３の機能を持たせ、端末形式の専用のテスタとして構成することも可能である。
【０１１１】
【発明の効果】
以上の説明で明らかなように、本発明の測定器の保守管理システムによれば、複数の販売ショップに配置された測定器（シールドボックス及びテスタ）の配置及び動作状態等を一元管理でき、故障発生を未然に防いで保守作業の効率化を図ることができる。
【０１１２】
そして、販売ショップ側から見た効果としては、通常、販売ショップの店員はネットワークの設定に関しては素人であるが、測定器を交換する場合、発送されて来る測定器を交換するだけで、複雑な設定をしなくても済み、煩わしい作業を省くことができる。また、測定器の使用回数を管理することにより、特にシールドボックスの劣化状態を把握し、適切に交換することで、シールド効果の劣化したシールドボックスで知らずに不完全な試験を実行してしまうリスクが少なくなる。
【０１１３】
管理サーバ側から見た効果としては、販売ショップに設置された測定器からの保守情報を取得し、この取得された保守情報に基づいて各販売ショップに配備された測定器の保守情報に関するリストファイルを作成できるので、販売ショップに納入した際に製造番号を入力するなどの場合と比較して、人為的なミスを減らすことができる。また、測定器の保守情報に関するリストファイルが自動作成されるので、作業の手間がかからない。さらに、測定器を個別に必要な時期が来たときに交換できるので、交換の無駄がない。
【０１１４】
保守サーバ側から見た効果としては、作成された測定器の保守情報に関するリストファイルに基づいて測定器の設定を出荷前に済ませることができるので、各販売ショップに直接出向いて測定器の設定を行う必要がないので、手間がかからない。
【図面の簡単な説明】
【図１】本発明による測定器の保守管理システムの概要構成を示すブロック図
【図２】１台のテスタに４台のシールドボックスを接続した場合のシールドボックスの保守情報を取得するための概略構成図
【図３】シールドボックス及びテスタの保守情報の一例を示す図
【図４】テスタの内部構成の概略を示すブロック図
【図５】図４の測定手段の内部構成の概略を示すブロック図
【図６】図２の構成における電源起動時の保守情報の読み取り手順を示すフローチャート
【図７】図２の構成におけるシールドボックスの開閉回数の書き込み手順を示すフローチャート
【図８】図１の管理サーバが保持する各販売ショップとその販売ショップで使用するテスタ用に割当てられたＩＰアドレスのリストの一例を示す図
【図９】図１の管理サーバが作成するテスタ管理リストファイルの一例を示す図
【図１０】販売ショップ、管理サーバ、保守サーバの処理内容の概略を示すフローチャート
【図１１】測定器を用いた従来の携帯電話機の測定システムを示す概要図
【図１２】販売ショップの窓口における機器配置を示す図
【符号の説明】
１…保守管理システム、２…測定器、４…管理サーバ、５…保守サーバ、６…サーバ手段、７…ネットワーク、９…ショップ内ＬＡＮ、１０…ＷＡＮ、１２…シールドケース、１３…テスタ、１４…被試験物（携帯電話機）、１５…開閉センサ、１６…記憶手段、１７…切替器。
【図１】
0003902052.tif 000002
【図２】
0003902052.tif 000003
【図３】
0003902052.tif 000004
【図４】
0003902052.tif 000005
【図５】
0003902052.tif 000006
【図６】
0003902052.tif 000007
【図７】
0003902052.tif 000008
【図８】
0003902052.tif 000009
【図９】
0003902052.tif 000010
【図１０】
0003902052.tif 000011
【図１１】
0003902052.tif 000012
【図１２】
0003902052.tif 000013